(57)【要約】【課題】  光ピックアップのタンジェンシャル方向の角度調整を簡単かつ高精度に行うことができる「光ピックアップ移送機構」を提供すること。【解決手段】  金属製の調整ピン１２に互いの中心を偏心させた第１および第２の円柱部１２ａ，１２ｂを設け、この第１の円柱部１２ａをキャリッジ３の被案内部４に形成した挿入孔１０に回転可能に挿入すると共に、第２の円柱部１２ｂの外周面をガイド部材６の上面に摺接させる構成とし、この調整ピン１２を回転することによって第２の円柱部１２ｂの被案内部４からの突出量を変化させ、それに伴ってキャリッジ３の被案内部４側がガイド部材６に対して上下動させることで、光ピックアップ１のタンジェンシャル方向の角度調整を行うようにした。【選択図】  図１
2005166225.tif 000002
【特許請求の範囲】
【請求項１】
対物レンズを搭載したキャリッジの一端側を送りねじ機構に係合し、このキャリッジの他端側に設けた被案内部を直線方向へ延びるガイド部材に摺動可能に支持すると共に、この被案内部を弾性部材の弾発力によってガイド部材に付勢し、前記送りねじ機構の駆動力によって前記キャリッジを前記ガイド部材の延出方向へ移送する光ピックアップ移送機構において、
調整ピンに互いの中心を偏心させた第１および第２の円柱部を設け、前記第１の円柱部を前記被案内部に設けられた挿入孔に挿入すると共に、前記第２の円柱部の外周面を前記ガイド部材に摺接させたことを特徴とする光ピックアップ移送機構。
【請求項２】
請求項１の記載において、前記第２の円柱部の外径寸法を前記第１の円柱部の外径寸法よりも大きく設定すると共に、これら第１および第２の円柱部を軸線方向に沿って完全にオーバーラップさせたことを特徴とする光ピックアップ移送機構。
【請求項３】
請求項１または２の記載において、前記第２の円柱部の端面に治具挿入用の十字状溝を形成し、この十字状溝の互いに直交する溝部の長さを異ならせたことを特徴とする光ピックアップ移送機構。
【請求項４】
請求項１〜３のいずれか１項の記載において、前記キャリッジと前記ガイド部材がいずれも合成樹脂製であり、かつ、前記調整ピンが金属製であることを特徴とする光ピックアップ移送機構。
【発明の詳細な説明】
【技術分野】
【０００１】
本発明は、ＣＤやＤＶＤ等のディスクに対して情報の記録および／または再生を行うディスク装置における光ピックアップ移送機構に係り、特に、ディスクの記録面に対する光ピックアップの傾きを微調整するためのチルト調整機構に関するものである。
【背景技術】
【０００２】
光ピックアップを用いてＣＤやＤＶＤ等のディスクに対して情報の記録や再生を行うディスク装置には、該光ピックアップをディスクの径方向に沿って移送するために、図７に示すような光ピックアップ移送機構が具備されている。
【０００３】
同図に示すように、光ピックアップ１００は、対物レンズ１０２と、この対物レンズ１０２を駆動するための駆動機構（図示せず）と、これら対物レンズ１０２や駆動機構および半導体レーザ等の光学部品を搭載するキャリッジ１０１から主に構成されており、キャリッジ１０１はガイドシャフト１０３とスクリューシャフト（送りねじ機構）１０４との間に配置されている。これらのガイドシャフト１０３およびスクリューシャフト１０４は、図示せぬ機構シャーシの片面側において互いに平行に対向配置されており、スクリューシャフト１０４は図示せぬスレッドモータを駆動源として正逆両方向へ回転駆動されるようになっている。キャリッジ１０１の両側面には受け部１０１ａ，１０１ｂが突設されており、一方の受け部１０１ａはガイドシャフト１０３の周面に当接し、他方の受け部１０１ｂはスクリューシャフト１０４に遊挿されている。また、キャリッジ１０１には板ばね１０５が片持ち梁状にねじ止めされており、この板ばね１０５の自由端側にはハーフナットと呼ばれる雌ねじ部材１０６が固定されている。そして、この雌ねじ部材１０６に約半周にわたって刻設されている歯部が、板ばね１０５からの弾発力を受けてスクリューシャフト１０４のねじ部１０４ａに噛合している。
【０００４】
このように概略構成された光ピックアップ移送機構は、スクリューシャフト１０４が正逆いずれかの方向へ回転すると、その回転力が雌ねじ部材１０６により直線運動に変換されてキャリッジ１０１に伝達されるため、キャリッジ１０１がガイドシャフト１０３およびスクリューシャフト１０４のスラスト方向（図７の矢印方向）に沿って移動する。その結果、キャリッジ１０１を介して光ピックアップ１００全体が図示せぬディスクの径方向へ移送されることとなり、該ディスクに対する情報の記録動作や再生動作が可能となる。
【０００５】
ところで、このような光ピックアップ１００を備えたディスク装置においては、対物レンズ１０２の光軸がディスクの記録面に対して垂直に保たれていないと、レーザ光のスポットに歪みが発生するなどして検出精度の低下を招きやすくなるため、光ピックアップ１００の組立段階で例えば対物レンズ１０２が搭載されたアクチュエータを複数本の調整ねじを用いてキャリッジ１０１上で揺動することにより、対物レンズ１０２の光軸がディスクの記録面に対して垂直に保たれるように調整している。しかしながら、ＤＶＤのように記録密度の極めて高いディスクに対して光ピックアップによる情報の記録や再生を行う場合には、ディスクの記録面と対物レンズ１０２の光軸との垂直度が僅かに損なわれただけで検出精度が大幅に低下してしまうので、光ピックアップ１００をディスク装置に組み込んだ後に光ピックアップ１００の傾きを微調整するチルト調整が必要となる。このチルト調整にはディスクのラジアル方向（半径方向）とタンジェンシャル方向（半径方向に垂直な方向）の２つがあり、従来より、タンジェンシャル方向のチルト調整をガイドシャフト１０３の取付高さを調整することで行うようにした技術が知られている（例えば、特許文献１参照）。
【０００６】
かかる従来既知の光ピックアップ移送機構は、ガイドシャフトの両端にその中心軸に対して偏心した円柱状の軸受部を設け、これら軸受部を機構シャーシ等に固定した軸受に回転可能に支持したものであり、ガイドシャフトを回転することによって光ピックアップの一端側が上下動可能となっている。したがって、光ピックアップをディスク装置に組み込んだ後に、スパナのような治具を用いてガイドシャフトを回転することにより、光ピックアップのタンジェンシャル方向のチルト調整を行うことができる。
【特許文献１】特開２０００−２８５４７２号公報（第２−３頁、図５）
【発明の開示】
【発明が解決しようとする課題】
【０００７】
このように前述した従来技術では、ガイドシャフトを回転させるだけで光ピックアップのタンジェンシャル方向のチルト調整を行うことができるが、両端が軸受に支持された長尺なガイドシャフトをスパナ等の治具で正確な角度位置に回転する作業は大変であり、角度調整を簡単かつ高精度に行うことが難しいという問題があった。また、断面円形のガイドシャフトをスパナ等の治具で回転させるために、ガイドシャフトの両端部に治具が嵌入される平行な切欠きを形成する必要があり、これら切欠きが形成された領域はキャリッジを案内するガイド部として使用できないため、光ピックアップ移送機構が大型化するという問題があった。さらに、角度調整時にガイドシャフトに回転方向の大きな捩り力が加わるため、機械的強度が高いステンレス等の金属製ガイドシャフトを使用せざるを得ず、コストダウンや軽量化に有利な合成樹脂製のガイドシャフトを使用できないという問題もあった。
【０００８】
本発明は、このような従来技術の実情に鑑みてなされたものであり、その目的は、光ピックアップのタンジェンシャル方向の角度調整を簡単かつ高精度に行うことができる光ピックアップ移送機構を提供することにある。
【課題を解決するための手段】
【０００９】
本発明は、互いの中心が偏心した第１および第２の円柱部を有する調整ピンを準備し、この第１の円柱部をキャリッジの被案内部に設けられた挿入孔に挿入すると共に、第２の円柱部の外周面を被案内部を支持するガイド部材に摺接させ、調整ピンを第１の円柱部を中心に回転することで被案内部側がガイド部材に対して上下動するようにした。
【発明の効果】
【００１０】
本発明の光ピックアップ移送機構は、互いの中心が偏心した第１および第２の円柱部を有する調整ピンを準備し、対物レンズを搭載したキャリッジの被案内部に調整ピンの第１の円柱部を回転可能に挿入すると共に、被案内部に支持するガイド部材に調整ピンの第２の円柱部の外周面を摺接させたので、調整ピンを回転するだけで光ピックアップのタンジェンシャル方向の角度調整を簡単かつ高精度に行うことができる。
【発明を実施するための最良の形態】
【００１１】
本発明は、対物レンズを搭載したキャリッジの一端側をスクリューシャフトに係合し、このキャリッジの他端側に設けた被案内部を直線方向へ延びるガイド部材に摺動可能に支持すると共に、この被案内部を弾性部材の弾発力によってガイド部材に付勢し、前記スクリューシャフトの回転に伴って前記キャリッジを前記ガイド部材の延出方向へ移送する光ピックアップ移送機構において、調整ピンに互いの中心を偏心させた第１および第２の円柱部を設け、前記第１の円柱部を前記被案内部に設けられた挿入孔に挿入すると共に、前記第２の円柱部の外周面を前記ガイド部材に摺接させる構成とした。
【００１２】
このように構成された光ピックアップ移送機構によれば、調整ピンを第１の円柱部を中心に回転操作すると、第１の円柱部に対して偏心する第２の円柱部の外周面がガイド部材上を転動することにより、キャリッジの被案内部側がガイド部材に対して上下動するため、光ピックアップのタンジェンシャル方向の角度調整を簡単かつ高精度に行うことができる。
【００１３】
上記の構成において、調整ピンの第１および第２の円柱部は互いの中心が偏心していれば同じ大きさでも良いが、第２の円柱部の外径寸法を第１の円柱部の外径寸法よりも大きく設定すると共に、これら第１および第２の円柱部を軸線方向に沿って完全にオーバーラップさせると、調整ピンを簡単に回転操作できて好ましい。
【００１４】
また、上記の構成において、調整ピンを回転操作するための治具挿入用溝部の形状はどのようなものでも良いが、第２の円柱部の端面に治具挿入用の十字状溝を形成し、この十字状溝の互いに直交する溝部の長さを異ならせると、十字ドライバのような治具を十字状溝に係合させて調整ピンを確実に回転操作できると共に、十字状溝の向きを目視することで調整ピンの回転角度を知ることができて好ましい。
【００１５】
また、上記の構成において、ガイド部材として金属製のガイドシャフトを使用することも可能であるが、キャリッジとガイド部材をいずれも合成樹脂で成形すると共に、金属製の調整ピンを使用することが好ましい。このように被案内部を含むキャリッジとガイド部材とをいずれも合成樹脂成形品となすと、コストダウンや軽量化が図りやすくなるばかりでなく、被案内部に挿入した金属製の調整ピンの第２の円柱部がガイド部材に摺接するので、合成樹脂材どうしを摺接させた場合に懸念される摩耗の進行を抑えることができる。
【実施例】
【００１６】
実施例について図面を参照して説明すると、図１は実施例に係る光ピックアップ移送機構の斜視図、図２は該光ピックアップ移送機構の側面図、図３はキャリッジとガイド部材の係合部分を示す断面図、図４は光ピックアップと調整ピンの斜視図、図５は図４の要部拡大図、図６は調整ピンによる角度調整作業を示す説明図である。
【００１７】
これらの図において符号１は光ピックアップを包括的に示し、この光ピックアップ１は、対物レンズ２とアクチュエータと称されるその駆動機構（図示せず）、およびディスクに対してレーザ光を照射する光学素子等が搭載されたキャリッジ３を備えている。このキャリッジ３は合成樹脂で成形されており、その両側部には被案内部４と受け部５が突設されている。被案内部４は略円柱状のガイド部材６に係合させてあり、このガイド部材６は合成樹脂製の機構シャーシ７に設けられた開口８の一側面に一体形成されている。また、受け部５は開口８の他側面側に配設されたガイドシャフト９に摺動可能に嵌挿させてある。図示はしていないが、キャリッジ３の受け部５側のさらに側方にはスクリューシャフトがガイドシャフト９と並行に配設されており、キャリッジ３の受け部５の側部にはスクリューシャフトのねじ部に噛合させるための雌ねじ部材や、この雌ねじ部材に弾発力を付与するための板ばねが取り付けられる。そして、このスクリューシャフトを機構シャーシ７に搭載した図示せぬスレッドモータによって正逆両方向へ回転駆動することにより、キャリッジ３を含む光ピックアップ１全体が図１，２の矢印Ａ−Ａ方向（ディスクの半径方向）へ移送されるようになっている。なお、光ピックアップ１をＡ−Ａ方向に移送するための送りねじ機構としては、上記スクリューシャフトと雌ねじ部材に限らず、受け部５の側部に設けたラックを機構シャーシ７に設けたビニオンで駆動するものであっても良い。
【００１８】
キャリッジ３の被案内部４には挿入孔１０が形成されており、この挿入孔１０は被案内部４の側端面からガイド部材６の延設方向（母線方向）に対して直交する方向に延びている。ただし、挿入孔１０は奥側に対して入口側が大きな段付孔となっており、奥側の小径部１０ａは円筒孔であるが、入口側の大径部１０ｂの下端は切り欠かれて開口している。また、キャリッジ３の底面側には板ばね１１が固定されており、図４と図５に示すように、この板ばね１１の自由端部は挿入孔１０の大径部１０ｂに対向している。
【００１９】
前記挿入孔１０にはステンレス等の金属ピンからなる短軸の調整ピン１２が挿入されており、この調整ピン１２は互いの中心を偏心させた第１の円柱部１２ａと第２の円柱部１２ｂとを有している。第２の円柱部１２ｂの外径寸法は第１の円柱部１２ａの外径寸法よりも大きく設定されており、これら第１および第２の円柱部１２ａ，１２ｂは調整ピン１２の軸線方向で完全にオーバーラップしている。第１の円柱部１２ａは挿入孔１０の小径部１０ａ内に挿入されており、後述するタンジェンシャル方向の角度調整後に、被案内部４の上面側からネジ１３を締着することにより、第１の円柱部１２ａは小径部１０ａ内に強固に固定される（図３参照）。一方、第２の円柱部１２ｂは挿入孔１０の大径部１０ｂ内に位置し、その外周面下端部が大径部１０ｂの開口から突出している。そして、調整ピン１２の第２の円柱部１２ｂと前記板ばね１１の自由端部との間にガイド部材６を配置させることにより、第２の円柱部１２ｂは板ばね１１の付勢力によりガイド部材６に対して常時摺接するようになっている。また、第２の円柱部１２ｂの端面には２つの溝部１４ａ，１４ｂを十字状に交差させた治具挿入用溝１４が形成されており、図６に示すように、一方の溝部１４ａは他方の溝部１４ｂに比べて長めに形成されている。
【００２０】
このように構成された光ピックアップ移送機構において、図示せぬスレッドモータを駆動源として前記スクリューシャフトが正逆いずれかの方向へ回転すると、その回転力が雌ねじ部材により直線運動に変換されてキャリッジ３に伝達されるため、キャリッジ３がガイド部材６およびガイドシャフト９のスラスト方向（図１，２の矢印Ａ−Ａ方向）に移動する。これにより、キャリッジ３を介して光ピックアップ１全体が図示せぬディスクの径方向へ移送されることとなり、該ディスクに対する情報の記録動作や再生動作が可能となる。ここで、被案内部４や受け部５を含むキャリッジ３と、被案内部４を介してキャリッジ３を摺動可能に支持するガイド部材６（機構シャーシ７）は共に樹脂成形品であるが、被案内部４をガイド部材６の上面に直接摺接させるのではなく、被案内部４に固定した調整ピン１２の第２の円柱部１２ｂの外周面をガイド部材６に摺接させているので、合成樹脂材どうしを摺接させた場合に懸念される摩耗の進行を抑えることができ、それゆえ長期にわたって光ピックアップ１を安定した姿勢で移送することができる。
【００２１】
次に、光ピックアップ１のタンジェンシャル方向の角度調整作業について、主に図６を参照して説明する。
【００２２】
光ピックアップ１の組立完了状態において調整ピン１２は挿入孔１０に対して所定の初期角度で挿入されており、本実施例の場合、図６（ａ）に示すように、治具挿入用溝１４の長い方の溝部１４ａがガイド部材６の母線方向に対して４５度傾斜する向きに挿入されている。そして、かかる光ピックアップ１をディスク装置に組み込んだ後、調整ピン１２の治具挿入用溝１４に十字ドライバ（図示せず）を係合してこれを回転操作すると、ガイド部材６の延設方向に対して直交する方向に延びる短軸の調整ピン１２が第１の円柱部１２ａを中心に矢印α−β方向に回転し、それに伴って大径部１０ｂの下端の開口から突出する第２の円柱部１２ｂの突出量が変化する。例えば、図６（ａ）に示す位置から調整ピン１２を矢印α方向に回転していくと、第２の円柱部１２ｂの外周面がガイド部材６の上面を転動し、第２の円柱部１２ｂの大径部１０ｂからの突出量が次第に減少していき、図６（ｂ）に示すように、調整ピン１２を矢印α方向へ１３５度だけ回転した時点で第２の円柱部１２ｂの大径部１０ｂからの突出量が最小となる。また、図６（ａ）に示す位置から調整ピン１２を矢印β方向に回転した場合、第２の円柱部１２ｂの大径部１０ｂからの突出量は、次第に増加して４５度回転した時点で最大となり、それ以上回転すると次第に減少していく。
【００２３】
そして、このように調整ピン１２の回転によって第２の円柱部１２ｂの大径部１０ｂからの突出量が変化すると、それに伴ってキャリッジ３の被案内部４側がガイド部材６に対して上下動するため、光ピックアップ１のタンジェンシャル方向の角度調整、つまり対物レンズ２の光軸のタンジェンシャル方向の傾き調整を簡単かつ高精度に行うことができる。なお、かかるタンジェンシャル方向の角度調整後に、被案内部４の上面側からネジ１３を締着し、必要に応じて接着剤を併用すれば、調整ピン１２を挿入孔１０に対して強固に固定することができる。
【００２４】
このように本実施例に係る光ピックアップ移送機構では、互いの中心を偏心させた第１および第２の円柱部１２ａ，１２ｂを有する調整ピン１２を準備し、この第１の円柱部１２ａをキャリッジ３の被案内部４に形成した挿入孔１０に回転可能に挿入すると共に、第２の円柱部１２ｂの外周面をガイド部材６の上面に摺接させので、光ピックアップ１をディスク装置に組み込んだ後に調整ピン１２を回転するという簡単な作業により、キャリッジ３の被案内部４側をガイド部材６に対して上下動することができ、光ピックアップ１のタンジェンシャル方向の角度調整を簡単かつ高精度に行うことができる。
【００２５】
また、調整ピン１２の端面に設けられた治具挿入用溝１４の十字状に交差する２つの溝部１４ａ，１４ｂのうち、一方の溝部１４ａを他方の溝部１４ｂに比べて長めに形成してあるので、光ピックアップ１のタンジェンシャル方向の角度調整時に、治具挿入用溝１４の溝部１４ａ，１４ｂの向きを目視することで調整ピン１６の回転角度を知ることができる。
【００２６】
さらに、被案内部４を含むキャリッジ３とガイド部材１６とがいずれも樹脂成形品にしてあると共に、被案内部４に固定した金属製の調整ピン１２をガイド部材１６に摺接させたので、コストダウンや軽量化が図りやすくなるばかりでなく、合成樹脂材どうしを摺接させた場合に懸念される摩耗の進行を抑えることができる。
【図面の簡単な説明】
【００２７】
【図１】実施例に係る光ピックアップ移送機構の斜視図である。
【図２】該光ピックアップ移送機構の側面図である。
【図３】キャリッジとガイド部材の係合部分を示す断面図である。
【図４】光ピックアップと調整ピンの斜視図である。
【図５】図４の要部拡大図である。
【図６】調整ピンによる角度調整作業を示す説明図である。
【図７】光ピックアップ移送機構を説明するための平面図である。
【符号の説明】
【００２８】
１  光ピックアップ
２  対物レンズ
３  キャリッジ
４  被案内部
５  受け部
６  ガイド部材
７  機構シャーシ
９  ガイドシャフト
１０  挿入孔
１０ａ  小径部
１０ｂ  大径部
１１  板ばね（弾性部材）
１２  調整ピン
１２ａ  第１の円柱部
１２ｂ  第２の円柱部
１３  ネジ
１４  治具挿入用溝（十字状溝）
１４ａ，１４ｂ  溝部
【図１】
2005166225.tif 000003
【図２】
2005166225.tif 000004
【図３】
2005166225.tif 000005
【図４】
2005166225.tif 000006
【図５】
2005166225.tif 000007
【図６】
2005166225.tif 000008
【図７】
2005166225.tif 000009